(57)【要約】      （修正有）【課題】保冷保温室と小物室とを外袋の内側に具備させることによって、保冷保温室が空のときは通常のバッグとして利用でき、保冷保温室にランチトレイやその類似物品などを収容しているときであっても、嵩張りやすい小物類を外袋の内側の小物室に収容することができる多用途バッグを提供する。【解決手段】外袋１０の内部空間に、熱反射機能を発揮する機能性シートによって囲まれた保冷保温室Ｒ１と、小物類を収容する小物室Ｒ２とを具備させる。保冷保温室Ｒ１を、柔軟な機能性シートが内張りされた第１内袋２０の内部空間によって形成し、小物室Ｒ２を、柔軟なシートによって形成された第２内袋３０の内部空間によって形成する。保冷保温室Ｒ１をファスナー４０によって開閉可能とする。【選択図】図１
0003197506.tif 000002
【実用新案登録請求の範囲】
【請求項１】
外袋に開閉口を備えた多用途バッグであって、
外袋の内部空間が、熱反射機能を発揮する機能性シートによって囲まれた保冷保温室と、小物類を収容する小物室とに分かれ、上記保冷保温室と上記小物室とに、各別に、物品出入口が形成されていることを特徴とする多用途バッグ。
【請求項２】
上記保冷保温室が、柔軟な上記機能性シートが内張りされた第１内袋の内部空間によって形成され、上記小物室が、柔軟なシートによって形成された第２内袋の内部空間によって形成されていると共に、第１及び第２の上記各内袋が、上記外袋に収容されてその外袋に結合されている請求項１に記載した多用途バッグ。
【請求項３】
保冷保温室の物品出入口を形成している上記第１内袋の上端縁に、その物品出入口を開閉可能なファスナーが備わり、このファスナーの噛み合い可能な一対のエレメントの一方が上記外袋に結合されているのに対し、他方が、上記小物室の物品出入口を形成している第２内袋の上端縁に結合されている請求項２に記載した多用途バッグ。
【請求項４】
上記保冷保温室が、ランチトレイ又はその類似物品を平置き姿勢で収容可能な広さに形成されている請求項１ないし請求項３のいずれか１項に記載した多用途バッグ。
【考案の詳細な説明】
【技術分野】
【０００１】
本考案は、多用途バッグ、特に、ランチトレイ又はその類似物品を保冷状態又は保温状態で持ち歩くことが可能であるだけでなく、携帯電話のような嵩張らない小物類と共に財布や化粧用具などの比較的嵩張る小物類をも便利に持ち歩くことを可能にするための対策が講じられた多用途バッグに関する。
【背景技術】
【０００２】
図８は従来の保冷バッグの概略斜視図である。同図に示した保冷バッグは、外袋１の内部の全体が、熱反射機能を発揮する柔軟な機能性シートで囲まれた保冷室になっていて、その保冷室の物品出入口２は、線状ファスナー（不図示）の作用によって開閉可能になっている。また、外袋１には提げ手３が備わっているほか、外袋１の外側に、携帯電話や手帳などの比較的嵩張らない小物類を収容しておくことのできるポケット４が設けられている。さらに、保冷室を形成している上記機能性シートには、網袋（不図示）が装備されていて、その網袋に保冷剤などを入れておくことができるようになっている。熱反射機能を発揮する上記機能性シートには、シート状の断熱層にアルミニウム薄膜などの熱反射機能を発揮する素材を内張りしたものが用いられている。
【０００３】
図８の保冷バッグによると、ファスナーを閉じることによって保冷室の密封度合いがある程度のレベルに保たれる。したがって、この保冷バッグに、冷たいままであることが望まれるランチトレイやその類似物品であるランチボックスなどを収容しておくと、人が昼食時に公園などの屋外にランチトレイなどを持ち出す上で便利である。
【０００４】
一方、先行例として、携帯用食品収納具についての提案がなされている（特許文献１参照）。このものは、収納具の内面に断熱材を内張りしたものである。また、携帯型の保冷袋についての提案もなされている（特許文献２参照）。このものは、ペットボトルを入れる筒状の袋を、蓄冷剤を包み込んだ不織布によって構成したものである。
【先行技術文献】
【特許文献】
【０００５】
【特許文献１】特開２０１１−１６７３１２号公報
【特許文献２】特開２００３−５４６４３号公報
【考案の概要】
【考案が解決しようとする課題】
【０００６】
しかしながら、図８を参照して説明した従来の保冷バッグでは、外袋１の外側に設けられているポケット４が、携帯電話や手帳などの比較的嵩張らない小物類を収容しておくのに適しているに過ぎなかったので、財布などの嵩張る小物類を持ち歩くときには、その小物類を収容するハンドバッグやポシェットなどを保冷バッグと共に併せて携行しなければならないという不便があった。この不便を解消するためには、ポケット４を大きくすることによって、嵩張る小物類を収容できるようにすることが考えられる。しかし、ポケット４を大きくすると、保冷バッグの全体が大形になって外観デザインが損なわれやすい。そのため、特に、女性が公園などにランチトレイを持ち運ぶことを前提にした保冷バッグでは、保冷バッグの全体が大形になって外観デザインが損なわれる、ということは好ましくない。
【０００７】
また、保冷バッグに収容して持ち歩いたランチトレイは用済み後に廃棄されることも多く、そのようにランチトレイを廃棄して保冷室が空になったとしても、空の保冷室に財布や化粧用具などの嵩張る小物類を収容することは、機能性シートを破損したりすることにつながりやすい。そのため、従来の保冷バッグを通常の小物類を収容しておくバッグとして用いることは好ましいことではない、と云える。
【０００８】
本考案は、以上の状況に鑑みて成されたものであり、保冷機能及び保温機能（保冷保温機能）を発揮する保冷保温室と共に、小物類収容機能を備えた小物室を外袋の内側に具備させることによって、外観デザイン性を損なうことなく、保冷保温室が空のときは勿論、保冷保温室にランチトレイやその類似物品などを収容しているときであっても、嵩張りやすい小物類を外袋の内側に収容しておくことのできる多用途バッグを提供することを目的としている。
【０００９】
また、本考案は、保冷保温機能だけが必要で小物類収容機能が不要なときには、外袋の内部の全体を保冷保温機能だけに利用することができ、小物類収容機能だけが必要で保冷保温機能が不要なときには、外袋の内部の全体を小物類収容機能だけに利用することのできる多用途バッグを提供することを目的とする。
【課題を解決するための手段】
【００１０】
本考案に係る多用途バッグは、外袋に開閉口を備えた多用途バッグであって、外袋の内部空間が、熱反射機能を発揮する機能性シートによって囲まれた保冷保温室と、小物類を収容する小物室とに分かれ、上記保冷保温室と上記小物室とに、各別に、物品出入口が形成されている。
【００１１】
この構成であると、保冷保温機能と小物類収容機能との両方が必要なときには、保冷保温室に、冷たいままであることが望まれるランチトレイなどを収容したり、暖かいままであることが望まれるティーポットなどを収容したりしておく一方で、小物室には、携帯電話などの嵩張らない小物類と共に、比較的嵩張るその他の小物類を収容しておく、という使い方を選択することができる。また、保冷保温機能だけを利用するときには、保冷保温室にランチトレイなどを収容して小物室を空にしておくという使い方を選択することができる。さらに、小物類収容機能だけを利用するときには、小物室に、携帯電話などの嵩張らない小物類と共に、比較的嵩張るその他の小物類を収容しておき、保冷保温室を空にしておくという、通常のバッグとしての使い方を選択することができる。
【００１２】
本考案では、上記保冷保温室が、柔軟な上記機能性シートが内張りされた第１内袋の内部空間によって形成され、上記小物室が、柔軟なシートによって形成された第２内袋の内部空間によって形成されていると共に、第１及び第２の上記各内袋が、上記外袋に収容されてその外袋に結合されている、という構成を採用することが可能である。この構成によれば、第１及び第２の上記各内袋が外袋に結合されているという構成により、外袋の内部での第１内袋や第２内袋の位置が定位置に定まって、第１内袋や第２内袋にランチトレイなどや小物類を出し入れしやくなる、という利点がある。また、第１内袋や第２内袋が柔軟な性質を備えていることにより、使わない側の内袋を畳んで、使う側の内袋だけを外袋の内部で広く拡げておくことが可能になる。そのため、保冷保温室や小物室の容積を自由に増減することができて、保冷保温機能だけが必要なとき、あるいは、小物類収容機能だけが必要なときには、外袋の内部空間の全体を、必要とされる機能を発揮する保冷保温室又は小物室として利用することができるようになる利便性がある。
【００１３】
本考案では、保冷保温室の物品出入口を形成している上記第１内袋の上端縁に、その物品出入口を開閉可能なファスナーが備わり、このファスナーの噛み合い可能な一対のエレメントの一方が上記外袋に結合されているのに対し、他方が、上記小物室の物品出入口を形成している第２内袋の上端縁に結合されている、という構成を採用することが可能である。この構成であると、ファスナーによって保冷保温室の物品出入口を閉じておくと、保冷保温室の密封度合いがある程度のレベルに保たれるようになる、そのため、保冷保温室に、冷たいままであることが望まれるランチトレイなどを収容しておくと、人が昼食時に公園などの屋外にランチトレイを持ち出す上で便利である。また、暖かいままであることが望まれるティーポットなどを収容しておくと、その暖かさが保たれる。
【００１４】
本考案では、上記保冷保温室が、ランチトレイ又はその類似物品を平置き姿勢で収容可能な広さに形成されていることが望ましい。この構成であると、特に、ランチトレイを持ち歩いたときに、その内容物が偏ってしまうということを抑制することが可能になる。
【図面の簡単な説明】
【００１５】
【図１】本考案の実施形態に係る多用途バッグを示した概略斜視図である。
【図２】図１の多用途バッグの折り畳んだ状態の一例を示した概略斜視図である。
【図３】多用途バッグの第１内袋及び第２内袋の並び方を原理的に示した説明図である。
【図４】多用途バッグの外袋の内側全体に亘って第１内袋を拡げた状態を原理的に示した説明図である。
【図５】多用途バッグの第１内袋だけを利用している状態を原理的に示した説明図である。
【図６】多用途バッグの外袋の内側全体に亘って第２内袋を拡げた状態を原理的に示した説明図である。
【図７】多用途バッグの第２内袋だけを利用している状態を原理的に示した説明図である。
【図８】従来の保冷バッグの概略斜視図である。
【考案を実施するための形態】
【００１６】
図１は本考案の実施形態に係る多用途バッグＡを示した概略斜視図、図２は同多用途バッグＡの折り畳んだ状態の一例を示した概略斜視図である。
【００１７】
この多用途バッグＡは、開閉口１１を備えた外袋１０と、その外袋１０の開閉口１１の両側の口縁部に設けられた提げ手１２と、を有している。図１において、外袋１０の口縁部の片側に設けられている提げ手は図に現れていない。外袋１０は天然皮革、人造皮革、厚手帆布、厚手布といった、丈夫で折曲げ可能な比較的硬い素材で作られている。また、図２によって明らかなように、外袋１０の底部分１３は矩形に保形されていて、その底部分１３を同図のように外袋１０の胴体部分１４の外側に重なり状に折り畳むことによって、多用途バッグの全体を偏平な形状に折り畳むことができるようになっている。外袋１０には、第１内袋２０と第２内袋３０とが収容されている。
【００１８】
第１内袋２０には、シート状の断熱層にアルミニウム薄膜などの熱反射機能を発揮する素材を内張りしてなる柔軟な機能性シートを袋状に形作った素材が採用されていて、その内部空間が、上記機能性シートによって囲まれた保冷保温室Ｒ１になっている。また、第１内袋２０の上部に備わっている物品出入口２１にはファスナー４０が備わっていて、このファスナー４０の一対のエレメント４１，４２が、物品出入口２を形成している第１内袋２０の上端縁の左右両側に振り分けて縫着されているのに対し、そのファスナー４０のスライダー４３が、一方側及び他方側のエレメント４１，４２を開閉可能に装備されている。さらに、第１内袋２０の上端縁は、その半分の領域が、一方のエレメント４１と共に外袋１０の上端縁の半分の領域に縫着や接着などの適宜手段によって結合されている。
【００１９】
この第１内袋２０において、一方側及び他方側のエレメント４１，４２の一端部に位置しているスライダーをエレメント４１，４２の他端部側にスライドさせると、一対のエレメント４１，４２が噛み合って物品出入口２１が閉じる。これにより、第１内袋２０の機能性シートによって囲まれた内部空間によって形成されている保冷保温室Ｒ１の密封度合いがある程度のレベルに保たれ、それによって保冷保温室Ｒ１の機能が発揮されるようになる。また、閉じた物品出入口２１が、外袋１０の開閉口１１の半分の領域に重なり状に揃った状態になる。
【００２０】
第２内袋３０には、袋状に形作った柔軟な布素材が採用されていて、その内部空間が、小物類を収容するための小物室Ｒ２になっていると共に、その第２内袋３０の上部に物品出入口３１が形成されている。そして、その物品出入口３１を形作っている第２内袋３０の上端縁の半分の領域が、上記した第１内袋２０の他の半分の領域に、上記ファスナー４０の他方のエレメント４２と共に縫着や接着などの適宜手段によって結合されている。また、第２内袋３０の上端縁の他の半分の領域が、外袋１０の上端縁の他の半分の領域に縫着や接着などの適宜手段によって結合されている。
【００２１】
外袋１０の上端部は、第１内袋２０や第２内袋３０のそれぞれの上端縁よりも少しだけ上方に延び出ていて、その延出部分１５に、ホック５０の凸型ボタン５１とその相手方要素である凹型ボタン５２とが相対向して設けられている。この構成により、凸型ボタンと５１と凹型ボタン５２と結合してホック５０を閉じると、それに伴って第２内袋３０の物品出入口３１が外袋１０の上記延出部分１５によって覆い隠される。また、ファスナー４０も外袋１０の上記延出部分１５によって覆い隠される。
【００２２】
次に、第１内袋２０及び第２内袋３０の形状や作用などを図３〜図７を参照して説明する。
【００２３】
図３は多用途バッグＡの第１内袋２０及び第２内袋３０の並び方を原理的に示した説明図、図４は多用途バッグＡの外袋１０の内側全体に亘って第１内袋２０を拡げた状態を原理的に示した説明図、図５は多用途バッグＡの第１内袋２０だけを利用している状態を原理的に示した説明図、図６は多用途バッグＡの外袋１０の内側全体に亘って第２内袋２０を拡げた状態を原理的に示した説明図、図７は多用途バッグＡの第２内袋２０だけを利用している状態を原理的に示した説明図である。
【００２４】
図３によって判るように、第１内袋２０と第２内袋３０とは、図１に示した提げ手１２を片手で持って使用者の身体の横で提げた状態での使用者の左右方向Ｗに並んでいる。なお、図中の一点鎖線枠Ｆで囲んだ部分は、第１内袋２０及び第２内袋３０に生じる皺２２，３２を示している。図例では、第１内袋２０と第２内袋３０との左右方向Ｗの幅、言い換えると奥行幅はほぼ同一になっていて、第１内袋２０及び第２内袋３０の上端部同士及び下端部同士が縫着や接着などの適宜手段によって結合されている。図中には、結合箇所を符号Ｎで示してある。
【００２５】
第１内袋２０の内部空間である保冷保温室Ｒ１は、冷たいままであることが望まれるランチトレイやその類似物品であるランチボックスを平置き姿勢で収容可能な広さを有している。同様に、暖かいままであることが望まれるティーポットなどをも収容可能な広さを有している。第２内袋３０の内部空間である小物室Ｒ２は、比較的嵩張らない小物類である携帯電話やスケジュール帳、筆記用具などのみならず、比較的嵩張る小物類である財布や化粧用具などの小物類をも収容可能な広さを有している。
【００２６】
図３のように、外袋１０の内側で、第１内袋２０と第２内袋３０との両方を拡げた状態にしておくと、保冷保温室Ｒ１にランチボックスやその類似物品を収容させておく一方で、小物室Ｒ２には、携帯電話などの嵩張らない小物類と共に、財布などの比較的嵩張る小物類を収容させておくことが可能である。したがって、使用者にとっては、嵩張る小物類を持ち運ぶために、多用途バッグＡと共にハンドバッグやポシェットなどを携行する必要がなくなる。
【００２７】
また、図４のように、外袋１０の内側で、第１内袋２０を最大限度に拡げて第２内袋３０を重なり状に折り畳んでおくと、保冷保温室Ｒ１の内部空間の広さが最大になる。そのため、この状態では、ファスナー４０（図１参照）を閉じ、外袋１０のホック５０を閉じておくと、外袋１０の内側の全体が保冷保温室Ｒ１になり、冒頭で説明した従来の保冷バッグと同様に、広い保冷保温室Ｒ１にランチトレイＬやランチボックスなどを収容して持ち運ぶことが可能になる。
【００２８】
次に、図６のように、外袋１０の内側で、第２内袋３０を最大限度に拡げて第１内袋２０を重なり状に折り畳んでおくと、小物室Ｒ２の内部空間の広さが最大になる。そのため、この状態では、図７のように外袋１０のホック５０を閉じておくと、外袋１０の内側の全体が小物室Ｒ２になり、携帯電話のような嵩張らない小物類は勿論、財布や化粧用具などの嵩張る小物類Ｂを、広い小物室Ｒ２に収容して持ち運ぶことが可能になる。言い換えると、通常のバッグとしての使い方ができるようになる。
【００２９】
以上説明したように、この実施形態の多用途バッグＡによると、財布などの嵩張る小物類を持ち歩くときでも当該多用途バッグＡを利用することができるので、そのような嵩張る小物類を収容するハンドバッグやポシェットなどを多用途バッグＡと共に併せて携行する必要がないという利便性が発揮される。また、保冷保温室Ｒ１を利用する必要がないときには、外袋１０の内側全体に亘って第２内袋３０を拡げ、その小物室Ｒ２に嵩張らない小物類や嵩張る小物類を併せて収容しておくことができるので、通常のバッグとしての使い方ができるようになる。
【００３０】
なお、図３〜図７においては、説明が重複することを回避することを意図して、図１及び図２に示した要素と同一要素に同一符号を付すことによって、それらの詳細な説明を省略した。
【００３１】
上記実施形態では、第１内袋２０の物品出入口２１を線状のファスナー４０の作用によって開閉するように構成してあるけれども、この点は、線状のファスナー４０に代えて、面状のファスナーやその他種々のファスナーを採用することも可能である。
また、上記実施形態では、多用途バッグＡは、開閉口１１を備えた外袋１０の開閉口１１の両側の口縁部に提げ手１２を設けているが、開閉口１１を備えた外袋１０に提げ手１２を設けない多用途バッグＡとして形成することもでき、本考案の作用効果は同等である。
【符号の説明】
【００３２】
Ａ  多用途バッグ
１０  外袋
１１  開閉口
１２  提げ手
２１，３１  物品出入口
４０  ファスナー
４１，４２  エレメント
Ｒ１  保冷保温室
Ｒ２  小物室
Ｌ  ランチトレイ
Ｂ  小物類
【図１】
0003197506.tif 000003
【図２】
0003197506.tif 000004
【図３】
0003197506.tif 000005
【図４】
0003197506.tif 000006
【図５】
0003197506.tif 000007
【図６】
0003197506.tif 000008
【図７】
0003197506.tif 000009
【図８】
0003197506.tif 000010